(57)【特許請求の範囲】
【請求項１】
スプロケット歯を備えた複数の替歯体がスプロケット本体の外周に等ピッチで形成した複数の替歯装着部に対してそれぞれ取り外し可能に装着されている替歯スプロケットにおいて、
前記スプロケット本体が、前記複数の替歯体に対応する数の辺を有した多角形の外周形状を備えているとともに、
前記複数の替歯体が、前記スプロケット本体の周方向にそれぞれ隣り合う替歯体同士で接触して配設され、
前記替歯体が、前記スプロケット本体の径方向に延びた係合突条を周方向両側に有している第１替歯体と前記スプロケット本体の径方向に延びて第１替歯体の係合突条と嵌合する被係合溝を周方向両側に有している第２替歯体とで構成され、
前記第１替歯体と第２替歯体とが、前記スプロケット本体の周縁に同じ数だけ交互に配設され、
前記係合突条の外周側係合幅が、前記係合突条の内周側係合幅より狭くなっているとともに、
前記被係合溝の外周側被係合幅が、前記被係合溝の内周側被係合幅より狭くなっていることを特徴とする替歯スプロケット。
【請求項２】
前記スプロケット本体の周方向に延設されたリング部材が、前記複数の替歯体と係合していることを特徴とする請求項１に記載の替歯スプロケット。
【発明の詳細な説明】
【技術分野】
【０００１】
本発明は、スプロケット本体とこのスプロケット本体に対して着脱可能な替歯体とを備えた替歯スプロケットに関する。
【背景技術】
【０００２】
従来、スプロケット本体とこのスプロケット本体に対して着脱可能な替歯体とを備える替歯スプロケットが知られている。
このような従来の替歯スプロケットとして、例えば、図７に示すような替歯スプロケット５００がある。
従来の替歯スプロケット５００は、スプロケット本体５１０の外周において等間隔に替歯体５２０を嵌め込んでボルト５３０によって固定するように設けられている。
【０００３】
具体的には、スプロケット本体５１０の外周を切り欠いて径方向および周方向に対して傾斜した周方向側面部分５１１が形成されている。
【０００４】
他方、一の替歯体５２０の周方向両側にも、径方向および周方向に対して傾斜した周方向側面部分５２１が形成されている。
そして、スプロケット本体５１０の周方向側面部分５１１に、替歯体５２０の周方向側面部分５２１を面接触させてボルト５３０で固定するように設けられている。
【先行技術文献】
【特許文献】
【０００５】
【特許文献１】特許２８８３５５７号公報
【発明の概要】
【発明が解決しようとする課題】
【０００６】
しかしながら、上述した従来の替歯スプロケット５００は、スプロケット本体５１０の外周において、一の替歯体５２０が他の替歯体５２０と間隔を空けて配設される構造であったため、歯形ピッチが大きくなり短いチェーンピッチのチェーンに対応することが困難であるという問題があった。
【０００７】
そこで、本発明は、前述したような従来技術の問題を解決するものであって、すなわち、本発明の目的は、短いチェーンピッチのチェーンに対応可能な替歯スプロケットを提供することである。
【課題を解決するための手段】
【０００８】
本請求項１に係る発明は、スプロケット歯を備えた複数の替歯体がスプロケット本体の外周に等ピッチで形成した複数の替歯装着部に対してそれぞれ取り外し可能に装着されている替歯スプロケットにおいて、前記スプロケット本体が、前記複数の替歯体に対応する数の辺を有した多角形の外周形状を備えているとともに、前記複数の替歯体が、前記スプロケット本体の周方向にそれぞれ隣り合う替歯体同士で接触して配設され、前記替歯体が、前記スプロケット本体の径方向に延びた係合突条を周方向両側に有している第１替歯体と前記スプロケット本体の径方向に延びて第１替歯体の係合突条と嵌合する被係合溝を周方向両側に有している第２替歯体とで構成され、前記第１替歯体と第２替歯体とが、前記スプロケット本体の周縁に同じ数だけ交互に配設され、前記係合突条の外周側係合幅が、前記係合突条の内周側係合幅より狭くなっているとともに、前記被係合溝の外周側被係合幅が、前記被係合溝の内周側被係合幅より狭くなっていることにより、前述した課題を解決するものである。
【０００９】
本請求項２に係る発明は、請求項１に記載された替歯スプロケットの構成に加え、前記スプロケット本体の周方向に延設されたリング部材が、前記複数の替歯体と係合していることにより、前述した課題をさらに解決するものである。
【発明の効果】
【００１０】
本請求項１に係る発明の替歯スプロケットによれば、スプロケット歯を備えた複数の替歯体がスプロケット本体の外周に等ピッチで形成した複数の替歯装着部に対してそれぞれ取り外し可能に装着されている替歯スプロケットにおいて、スプロケット本体が、複数の替歯体に対応する数の辺を有した多角形の外周形状を備えているとともに、複数の替歯体が、スプロケット本体の周方向にそれぞれ隣り合う替歯体同士で接触して配設され、替歯体が、スプロケット本体の径方向に延びた係合突条を周方向両側に有している第１替歯体とスプロケット本体の径方向に延びて第１替歯体の係合突条と嵌合する被係合溝を周方向両側に有している第２替歯体とで構成され、第１替歯体と第２替歯体とが、スプロケット本体の周縁に同じ数だけ交互に配設され、係合突条の外周側係合幅が、係合突条の内周側係合幅より狭くなっているとともに、被係合溝の外周側被係合幅が、被係合溝の内周側被係合幅より狭くなっていることにより、従来と比較して歯形ピッチが小さくなるため、より短いチェーンピッチのチェーンに対応することができる。
また、スプロケット本体の外周縁の一の辺に対して一の替歯体を押し当てて装着するため、替歯体の取り付けを容易にすることができる。
【００１１】
さらに、第１替歯体と第２替歯体とがスラスト方向への相対的な位置関係を規制して一体的に嵌合されるため、一体的に嵌合しあっている第１替歯体および第２替歯体におけるスラスト方向の強度を向上させることができる。
また、係合突条を被係合溝に嵌合させる際、例えば第１替歯体を取り付けた後に、第２替歯体をスプロケット本体の径方向外側から中心側へ向かって差し込むだけでよいため、第１替歯体および第２替歯体の取り付けを容易に行うことができる。
同様に取り外しについても容易に行うことができる。
【００１２】
さらに、第２替歯体が第１替歯体の相対的なスプロケット本体の径方向外側への移動を規制して第１替歯体と第２替歯体とが一体的に嵌合されるため、一体的に嵌合しあっている第１替歯体および第２替歯体におけるスプロケット本体の径方向の強度を向上させることができる。
【００１３】
本請求項２に係る発明の替歯スプロケットによれば、請求項１に係る発明が奏する効果に加えて、スプロケット本体の周方向に延設されたリング部材が、複数の替歯体と係合していることにより、複数の替歯体が装着された状態でより強固に保持されるため、径方向だけでなく、周方向およびスラスト方向への替歯体の保持力をも向上させることができる。
【図面の簡単な説明】
【００１４】
【図１】本発明の第１実施例の替歯スプロケットの正面図。
【図２】本発明の第１実施例の第１替歯体および第２替歯体の斜視図。
【図３】本発明の第１実施例の径方向外側からみた第１替歯体の側面図、正面図および周方向からみた側面図。
【図４】本発明の第１実施例の径方向外側からみた第２替歯体の側面図、正面図および周方向からみた側面図。
【図５】本発明の第１実施例の替歯スプロケットの周方向からみた拡大側断面図。
【図６】本発明の第２実施例の替歯スプロケットの周方向からみた拡大側断面図。
【図７】従来の替歯スプロケットの正面図。
【発明を実施するための形態】
【００１５】
本発明は、スプロケット歯を備えた複数の替歯体がスプロケット本体の外周に等ピッチで形成した複数の替歯装着部に対してそれぞれ取り外し可能に装着されている替歯スプロケットにおいて、スプロケット本体が、複数の替歯体に対応する数の辺を有した多角形の外周形状を備えているとともに、複数の替歯体が、スプロケット本体の周方向にそれぞれ隣り合う替歯体同士で接触して配設され、替歯体が、スプロケット本体の径方向に延びた係合突条を周方向両側に有している第１替歯体とスプロケット本体の径方向に延びて第１替歯体の係合突条と嵌合する被係合溝を周方向両側に有している第２替歯体とで構成され、第１替歯体と第２替歯体とが、スプロケット本体の周縁に同じ数だけ交互に配設され、係合突条の外周側係合幅が、係合突条の内周側係合幅より狭くなっているとともに、被係合溝の外周側被係合幅が、被係合溝の内周側被係合幅より狭くなっていることによって、従来と比較して歯形ピッチが小さくなり、より短いチェーンピッチのチェーンに対応可能となるものであれば、その具体的な実施態様は、如何なるものであっても構わない。
【００１６】
例えば、本発明の替歯スプロケットは、取り付けられる替歯体の数がいくつでもよい。
また、１つの替歯体に形成されるスプロケット歯の数がいくつでもよい。
言い換えると、１つの替歯体がチェーンピッチ一つ分に対応していてもよいし、二つ分以上のチェーンピッチに対応していてもよい。
さらに、一種類の替歯体が周方向に連続して接触する構成でもよいし、二種類の替歯体が交互に連続して接触する構成でもよい。
また、替歯体をスプロケット本体に取り付ける手段または構造は、替歯体をスプロケット本体に対して着脱可能であれば如何なるものであっても構わない。
【実施例１】
【００１７】
以下に、本発明の第１実施例である替歯スプロケット１００について、図１乃至図５に基づいて説明する。
ここで、図１は、本発明の第１実施例の替歯スプロケット１００の正面図であり、図２（ａ）は、第１替歯体の斜視図であり、図２（ｂ）は、第２替歯体の斜視図であり、図３（ａ）は、スプロケット本体の径方向外側からみた第１替歯体１２０の側面図であり、図３（ｂ）は、第１替歯体１２０の正面図であり、図３（ｃ）は、周方向からみた第１替歯体１２０の側面図であり、図４（ａ）は、スプロケット本体の径方向外側からみた第２替歯体１３０の側面図であり、図４（ｂ）は、第２替歯体１３０の正面図であり、図４（ｃ）は、周方向からみた第２替歯体１３０の側面図であり、図５は、本発明の第１実施例の替歯スプロケット１００の周方向からみた拡大側断面図である。
【００１８】
本発明の第１実施例である替歯スプロケット１００は、図１乃至図５に示すように、スプロケット本体１１０と替歯体の一例である第１替歯体１２０とこの第第１替歯体１２０と同数の第２替歯体１３０とを備えている。
このうち、スプロケット本体１１０は、中心を軸支されることにより中心を支点に回転する部材であり、スプロケット本体１１０の外周縁１１４の形状は、第１替歯体１２０および第２替歯体１２０の総数に対応する数の辺を有した多角形に形成されている。
【００１９】
また、第１替歯体１２０および第２替歯体１３０が、交互に接触して連続的にスプロケット本体１１０の外周に着脱可能にテーパーボルト１４０とナット１６０とによって取り付けられている。
これにより、従来と比較して替歯スプロケット１００の歯形ピッチが小さくなる。
具体的には、スプロケット本体１１０の外周に替歯装着部１１２が等ピッチで形成されており、替歯装着部１１２には、テーパーボルト１４０が挿通される第１孔１１１が、第１替歯体１２０および第２替歯体１３０の数に対応する数だけ等間隔に形成されている。
【００２０】
一方、第１替歯体１２０には、スプロケット歯１２１と被装着部１２２と係合突条１２４とが形成されている。
このうち、スプロケット歯１２１は、第１替歯体１２０の外周側に形成されている。
また、被装着部１２２は、第１替歯体１２０の内周側に形成されており、替歯装着部１１２と係合するように設けられている。
【００２１】
さらに、被装着部１２２には、テーパーボルト１４０が挿入される第２孔１２３およびスプロケット本体１１０の替歯装着部１１２が差し込まれる差込み溝１２５が形成されている。
また、係合突条１２４は、第１替歯体１２０におけるスプロケット本体１１０の周方向両側において、スプロケット本体１１０の径方向に延設されている。
【００２２】
また、第２替歯体１３０には、スプロケット歯１３１と被装着部１３２と被係合溝１３４とが形成されている。
このうち、スプロケット歯１３１は、第１替歯体１２０のスプロケット歯１２１と同様に、第２替歯体１３０の外周側に形成されている。
また、被装着部１３２は、第１替歯体１２０の被装着部１２２と同様に、第２替歯体１３０の内周側に形成されており、替歯装着部１１２と係合するように設けられている。
【００２３】
さらに、被装着部１３２には、テーパーボルト１４０が挿入される第２孔１３３およびスプロケット本体１１０の替歯装着部１１２が差し込まれる差込み溝１３５が形成されている。
また、被係合溝１３４は、第２替歯体１３０におけるスプロケット本体１１０の周方向両側において、係合突条１２４と嵌合するようにスプロケット本体１１０の径方向に延設されている。
これにより、第１替歯体１２０と第２替歯体１３０とがスラスト方向への相対的な位置関係を規制して一体的に嵌合される。
【００２４】
さらに、係合突条１２４の外周側係合幅Ｗ１および内周側係合幅Ｗ２のいずれか一方が、他方より狭くなっているとともに、被係合溝１３４の外周側被係合幅Ｗ３および内周側被係合幅Ｗ４のいずれか一方が、係合突条１２４の係合幅Ｗ１、Ｗ２に対応して他方より狭くなっている。
これにより、第１替歯体１２０および第２替歯体１３０の一方が、他方の相対的なスプロケット本体１１０の径方向一方への移動を規制して第１替歯体１２０と第２替歯体１３０とが一体的に嵌合される。
【００２５】
本第１実施例では、係合突条１２４の外周側係合幅Ｗ１が、係合突条１２４の内周側係合幅Ｗ２より狭くなっているとともに、被係合溝１３４における外周側被係合幅Ｗ３が、被係合溝１３４の内周側被係合幅Ｗ４より狭くなっている。
これにより、第２替歯体１３０が第１替歯体１２０の外周側への相対的な移動を規制して第１替歯体１２０と第２替歯体１３０とが一体的に嵌合される。
【００２６】
続いて、第１替歯体１２０および第２替歯体１３０の取り付け方について説明する。
先ず、スプロケット本体１１０の替歯装着部１１２が第１替歯体１２０の被装着部１２２の差込み溝１２５に差し込まれるようにして、第１替歯体１２０の被装着部１２２を、スプロケット本体１１０の替歯装着部１１２に係合させ、第２孔１２３の位置を第１孔１１１の位置に対応させるとともに、第１替歯体１２０をスプロケット本体１１０の多角形の外周縁１１４の一辺に対応させてこの一辺に押し当てる。
次に、テーパーボルト１４０を第２孔１２３および第１孔１１１に挿入して、第１替歯体１２０をスプロケット本体１１０に取り付ける。
【００２７】
このとき、第２孔１２３の位置は、第１孔１１１の位置の位置よりもスプロケット本体１１０の径方向の外側にわずかにずれた位置となるように設けられている。
この際、テーパーボルト１４０の挿入方向にスリットが設けられた公知のスリーブ１５０およびワッシャー１７０を介してテーパーボルト１４０とナット１６０とで締付けて、第１替歯体１２０をスプロケット本体１１０に固定する。
【００２８】
テーパーボルト１４０およびナット１６０によって締付けられるとスリーブ１５０が、挿入方向と交差する方向に変形するため、第２孔１２３の位置と第１孔１１１の位置とが同じ位置となるように第１替歯体１２０とスプロケット本体１１０との間で相対的に力が作用する。
言い換えると、第１替歯体１２０においてスプロケット本体１１０の径方向中心側へ向かう力が作用する。
これにより、第１替歯体１２０の差込み溝１２５の底がスプロケット本体１１０の外周縁１１４としっかりと面接触するため、第１替歯体１２０をスプロケット本体１１０に対して径方向に精度よく位置決めすることができる。
【００２９】
同様に、第２替歯体１３０を第１替歯体１２０と隣接させ、スプロケット本体１１０の替歯装着部１１２が第２替歯体１３０の被装着部１３２の差込み溝１３５に差し込まれるようにして、第２替歯体１３０の被装着部１３２をスプロケット本体１１０の替歯装着部１１２に係合させる。
そして、第２孔１３３の位置を第１孔１１１の位置に対応させて、テーパーボルト１４０を挿入して、第２替歯体１３０をスプロケット本体１１０に取り付ける。
【００３０】
この際、第２替歯体１３０を第１替歯体１２０に対してスプロケット本体１１０の径方向外側から中心側へ向かって差し込むだけで、係合突条１２４が被係合溝１３４に嵌合する。
このようにして、最後の一つまで容易に取り付けることができる。
【００３１】
仮に、周方向に突出している凸部と周方向に凹んでいる凹部とを嵌合させる構造である場合は、最後の一つを径方向外側から中心側へ向かって差し込むようにして取り付けることが困難であるが、このような構造と比較して、本発明では、最後の一つまで容易に取り付けることができる。
【００３２】
また、係合突条１２４の係合幅Ｗ１、Ｗ２と被係合溝１３４の被係合幅Ｗ３、Ｗ４との関係上、先に全ての第１替歯体１２０をスプロケット本体１１０に取り付けてから、第２替歯体１３０をスプロケット本体１１０に取り付けると、最後の一つまで容易に取り付けることができる。
【００３３】
第１替歯体１２０および第２替歯体１３０を取り外す際は、先に全ての第２替歯体１３０をスプロケット本体１１０から取り外してから、第１替歯体１２０を取り外すと、最後の一つまで容易に取り外すことができる。
【００３４】
このようにして得られた第１実施例である替歯スプロケット１００は、スプロケット本体１１０が複数の替歯体１２０、１３０に対応する数の辺を有した多角形の外周縁１１４を備えているとともに、複数の替歯体１２０、１３０が、スプロケット本体１１０の周方向にそれぞれ隣り合う替歯体同士で接触して配設されていることにより、従来と比較して、より短いチェーンピッチのチェーンに対応することができるとともに、替歯体１２０、１３０の取り付けを容易にすることができる。
【００３５】
また、スプロケット本体１１０の径方向に延びた係合突条１２４を有する第１替歯体１２０とスプロケット本体１１０の径方向に延びて第１替歯体１２０の係合突条１２４と嵌合する被係合溝１３４を有する第２替歯体１３０とが、スプロケット本体１１０の外周縁１１４に同じ数だけ交互に配設されていることにより、一体的に嵌合しあっている第１替歯体１３０および第２替歯体１３０におけるスラスト方向の強度を向上させることができるとともに、スプロケット本体１１０に対する第１替歯体１２０および第２替歯体１３０の着脱を容易に行うことができる。
【００３６】
さらに、係合突条１２４の外周側係合幅Ｗ１および内周側係合幅Ｗ２のいずれか一方が、他方より狭くなっているとともに、被係合溝１３４の外周側被係合幅Ｗ３および内周側被係合幅Ｗ４のいずれか一方が、係合突条１２４の係合幅Ｗ１、Ｗ２に対応して他方より狭くなっていることにより、一体的に嵌合しあっている第１替歯体１２０および第２替歯体１３０におけるスプロケット本体１１０の径方向の強度を向上させることができる。
【００３７】
係合突条１２４の外周側係合幅Ｗ１が、係合突条１２４の内周側係合幅Ｗ２より狭くなっているとともに、被係合溝１３４の外周側被係合幅Ｗ３が、被係合溝１３４の内周側被係合幅Ｗ４より狭くなっていることにより、一体的に嵌合しあっている第１替歯体１２０および第２替歯体１３０におけるスプロケット本体１１０の径方向の強度を向上させることができるなど、その効果は甚大である。
【実施例２】
【００３８】
続いて、本発明の第２実施例である替歯スプロケット２００について、図６に基づいて説明する。
ここで、図６に示すのは、本発明の第２実施例の替歯スプロケット２００の周方向からみた拡大側断面図である。
第２実施例の替歯スプロケット２００は、第１実施例の替歯スプロケット１００の替歯体１２０、１３０の被装着部１２２、１３２とスプロケット本体１１０の替歯装着部１１２とのオスメス関係を逆にするとともにリング部材２８０を用いることとしたものであり、多くの要素について第１実施例の替歯スプロケット１００と共通するので、共通する事項については詳しい説明を省略し、下２桁が共通する２００番台の符号を付すのみとする。
【００３９】
本発明の第２実施例では、上述した第１実施例で第１替歯体１２０および第２替歯体１３０に形成されていた差込み溝が形成されておらず、スプロケット本体２１０の周方向に延設されたリング部材２８０と、スプロケット本体２１０の替歯装着部２１２とによって、第１替歯体２２０の被装着部２２２および第２替歯体２３０の被装着部２３２を挟むようにして、第１替歯体２２０および第２替歯体２３０がスプロケット本体２１０に取り付けられている。
リング部材２８０は第１孔２１１と対応する箇所に第１孔２１１と同様の第３孔２８１を有しており、第３孔２８１、第２孔２２３および第１孔２１１に挿入されたテーパーボルト２４０とナット２６０とによって締付けられて第１替歯体２２０および第２替歯体２３０がスプロケット本体２１０に固定されている。
【００４０】
言い換えると、リング部材２８０は、スプロケット本体２１０に装着された第１替歯体２２０および第２替歯体２３０と係合している。
これにより、第１替歯体２２０および第２替歯体２３０が装着された状態でより強固に保持されている。
また、第１替歯体２２０の被装着部２２２および第２替歯体２３０の被装着部２３２が、リング部材２８０とスプロケット本体２１０の替歯装着部２１２とによって挟まれた状態で締付けられる。
これにより、スプロケット本体２１０の径方向、周方向およびスラスト方向への第１替歯体２２０および第２替歯体２３０の締付け力が向上する。
【００４１】
なお、リング部材２８０を用いずに、リング部材２８０の分をスプロケット本体２１０と一体に形成することにより、スプロケット本体２１０の替歯装着部２１２における符号２１３の箇所に差込み溝を形成し、第１替歯体２２０および第２替歯体２３０の被装着部２２２、２３２が差込み溝２１３に差し込まれる構造としてもよいのは勿論である。
【００４２】
このようにして得られた第２実施例である替歯スプロケット２００は、スプロケット本体２１０が複数の替歯体２２０、２３０に対応する数の辺を有した多角形の外周縁２１４を備えているとともに、複数の替歯体２２０、２３０が、スプロケット本体２１０の周方向にそれぞれ隣り合う替歯体同士で接触して配設されていることにより、従来と比較して、より短いチェーンピッチのチェーンに対応することができるとともに、替歯体２２０、２３０の取り付けを容易にすることができる。
【００４３】
また、スプロケット本体２１０の周方向に延設されたリング部材２８０が、複数の替歯体２２０、２３０と係合していることにより、径方向だけでなく、周方向およびスラスト方向への替歯体２２０、２３０の保持力をも向上させることができるなど、その効果は甚大である。
【符号の説明】
【００４４】
１００、２００  ・・・  替歯スプロケット
１１０、２１０  ・・・  スプロケット本体
１１１、２１１  ・・・  第１孔
１１２、２１２  ・・・  替歯装着部
１１４、２１４  ・・・  外周縁
１２０、２２０  ・・・  第１替歯体
１２１、２２１  ・・・  スプロケット歯
１２２、２２２  ・・・  被装着部
１２３、２２３  ・・・  第２孔
１２４          ・・・  係合突条
１２５          ・・・  差込み溝
１３０、２３０  ・・・  第２替歯体
１３１、２３１  ・・・  スプロケット歯
１３２、２３２  ・・・  被装着部
１３３、２３３  ・・・  第２孔
１３４          ・・・  被係合溝
１３５          ・・・  差込み溝
１４０、２４０  ・・・  テーパーボルト
１５０、２５０  ・・・  スリーブ
１６０、２６０  ・・・  ナット
１７０、２７０  ・・・  ワッシャー
２１３          ・・・  差込み溝
２８０          ・・・  リング部材
２８１          ・・・  第３孔
５００          ・・・  替歯スプロケット
５１０          ・・・  スプロケット本体
５１１          ・・・  周方向側面部分
５２０          ・・・  替歯体
５２１          ・・・  周方向側面部分
５３０          ・・・  ボルト
Ｗ１            ・・・  係合突条の外周側係合幅
Ｗ２            ・・・  係合突条の内周側係合幅
Ｗ３            ・・・  被係合溝の外周側被係合幅
Ｗ４            ・・・  被係合溝の内周側被係合幅
【図１】
0005483370.tif 000002
【図２】
0005483370.tif 000003
【図３】
0005483370.tif 000004
【図４】
0005483370.tif 000005
【図５】
0005483370.tif 000006
【図６】
0005483370.tif 000007
【図７】
0005483370.tif 000008